(57)【特許請求の範囲】
【請求項１】
充電式電池を電源に駆動する送風機とこの送風機の送風経路の一部に設けられたフィルターからなる携帯型空気清浄器において、空気清浄に使用しない充電時には送風機を充電式電池と切り離し、前記送風機へ直接給電して前記フィルターに送風し、前記フィルターを再生することを特徴とする携帯型空気清浄器。
【請求項２】
充電再生時には空気清浄動作に使用する動作時に比べて低風量に、もしくは断続的に前記送風機を動作することを特徴とする請求項１記載の携帯型空気清浄器。
【請求項３】
携帯型空気清浄器本体を接続し、前記充電式電池を充電する充電器に別送風機を設けた請求項１記載の携帯型空気清浄器。
【請求項４】
充電再生時にフィルターに送風する送風経路に加熱手段を設け、温風を送風することを特徴とする請求項１記載の携帯型空気清浄器。
【請求項５】
充電再生時にフィルターに送風する温風の温度を充電再生の進行に従って徐々に高くすることを特徴とする請求項４記載の携帯型空気清浄器。
【請求項６】
充電再生時にフィルターに送風する温風の風量を加熱手段の温度の高低に応じて増減することを特徴とする請求項４記載の携帯型空気清浄器。
【請求項７】
加熱手段は熱を発する充電器の電源回路とすることを特徴とする請求項４記載の携帯型空気清浄器。
【請求項８】
充電再生時にフィルターを通った風の下流に脱臭触媒を設けたことを特徴とする請求項１記載の携帯型空気清浄器。
【請求項９】
充電再生時に脱臭触媒を通った風を送風手段へと導く風路を形成したことを特徴とする請求項８記載の携帯型空気清浄器。
【発明の詳細な説明】
【技術分野】
【０００１】
【発明の属する技術分野】
本発明は、携帯型の空気清浄器に関するものである。
【０００２】
【従来の技術】
従来、空気清浄器は室内や車内の埃や細菌、臭いを吸着、もしくは分解する、一定の空間の空気を清浄に保つための機器が主体であった。しかし、電車の中や会議室など比較的大きな空間、やオープンな空間では処理する空気量が膨大なものとなり、大掛かりな機器であったり、処理に膨大な時間がかかったりしていた。また、特に臭いについては、喫煙の有無などにも依存し、各個人の受容性の差が大きく、なかなか個人レベルのニーズに応えることができなかった。
【０００３】
【課題を解決するための手段】
そこで、本発明にあっては空気清浄器の処理後の清浄な空気を使用者の鼻、および口に向かって噴出し、これらの効果を継続的に使用者が享受するため、夜間等の非使用時に再生を行い、略継続的に臭気や埃の多い空間にあるときにも使用者が、常に清涼感を感じながら快適に過ごせるものとする。
【０００４】
【発明の実施の形態】
請求項１に記載の発明は、携帯型空気清浄器の本体内に充電式電池と同充電式電池を電源に駆動する送風機とその送風経路の一部に設けられたフィルターからなる充電式空気清浄器にあって、空気清浄に使用しない充電時に前記フィルターに送風し、前記フィルターを再生することによって、略継続的に使用可能とするものである。
【０００５】
また請求項１に記載の発明は、充電時には前記送風機を充電式電池と切り離し、前記送風機に直接給電し、送風することによって、充電を効率的に実施するとともに前記フィルターの再生も充電状況に影響せずに実施でき、それぞれが良好な状態で、達成できるものである。
【０００６】
請求項２に記載の発明は、空気清浄動作に使用する動作時に比べて、充電再生時には低風量に、もしくは断続的に前記送風機を動作することによって、使用時に比べて比較的長時間の運転時間をより静かに充電再生できるものである。
【０００７】
請求項３に記載の発明は、前記携帯型空気清浄器本体、もしくは前記フィルタ−を含む一部を接続して、前記充電式電池を充電する充電器に前記送風機と別途送風機を設けることによって、充電式電池の充電中であっても充電状況によらず、安定した送風を達成できるため、より安定しフィルターの再生と充電式電池の充電が実現できるものである。
【０００８】
請求項４に記載の発明は、充電再生時に前記フィルタ−に送風する送風経路に加熱手段を設け、温風を送風することによって、前記フィルターの再生を温風で実現できるため、フィルターに吸着した臭気成分の放散を促進し、より良好な再生を実現するものである。
【０００９】
請求項５に記載の発明は、充電再生時に前記フィルタ−に送風する温風の温度を充電再生の進行に従って徐々に高くすることによって、フィルターに吸着した臭気成分の放散のスピードを所定量に制御することが可能となり、放散する臭気成分を常に一定以下できるために、良好な環境を維持しつつより良好な再生を実現するものである。
【００１０】
請求項６に記載の発明は、充電再生時に前記フィルタ−に送風する温風の風量を前記加熱手段の温度が高いときには風量を上げ、より低いときには風量を抑えることにより、風量のみの制御で一定の温度の温風を得ることが可能となる。
【００１１】
請求項７に記載の発明は、前記加熱手段を充電電源回路の熱を還流して実現することにより、ヒータなどの熱源を設けずに充電再生時に前記フィルタ−に送風する温風を売ることができ、よりコンパクトで、効率の良い充電再生器を有する携帯型空気清浄器が実現できる。
【００１２】
請求項８に記載の発明は、充電再生時に前記フィルタ−を通った風の下流に脱臭触媒を設けることにより、フィルターから再生によって脱着された臭気成分を脱臭触媒で分解排出することで、臭気成分の排出を低減すると共にフィルターの再生時間を短くするものである。
【００１３】
請求項９に記載の発明は、充電再生時に前記脱臭触媒を通った風を前記送風手段へと導く風路を形成することで、フィルターから再生によって脱着された臭気成分を脱臭触媒で分解し、繰り返し内部で循環することにより、臭気成分の排出がなくフィルターの再生が可能となるものである。
【００１４】
【実施例】
以下本発明の実施例について図１〜１１を参照しながら説明する。
【００１５】
（実施例１）
図１は本発明の実施例１の断面図、図２はその使用例を示した図である。
【００１６】
図１において、携帯型空気清浄器本体１は本体外殻２に吸気口３と送風口４と設け、吸気口３を覆って内装される通気性のフィルター５と、前記フィルター５と前記送風口４との間に設けられた送風機６と送風機６を駆動する電源である充電式電池７からなる。ここで、前記送風口４の幅４ａは一般的な人間の鼻８の下面幅８ａと略同等となっている。
【００１７】
続いて動作を説明する。図２に示したごとく、携帯型空気清浄器本体１は送風口４を使用者が鼻８、もしくは鼻近傍の口９、鼻８部分に向け使用する。携帯型空気清浄器本体１は送風機６の運転によって吸気口３より吸気した外気を脱臭効果のあるフィルター５を通過し、送風機６を通して、送風口４より噴出し、その風を使用者の鼻８、もしくは鼻８近傍の口９、鼻７部分に吹き付けることにより、周辺の外気の悪臭や塵埃を除去した、より清浄な空気を使用者にのみ供給するものである。
【００１８】
図３は本携帯型空気清浄器の回路接続を示した図にして、充電時には充電端子１０への充電器１１の端子１２接続により、充電式電池７への充電用の電力供給と送風機６への電源供給が同時に行われるものである。
【００１９】
フィルター５は以上述べたように使用することによって、臭気成分をフィルター５自身に吸着することによって、脱臭を達成するものであるが、その使用を続けることによって、臭気成分が溜まって、徐々に脱臭能力が低下する。一般にここで用いられるフィルター５の如き吸着剤は外気との間で、吸着平衡を保つものにして、臭気成分を多く溜め込んだ状態で臭気成分の無い空気に対しては逆に臭気成分を放散する。そのため、フィルターの交換もしくはフィルター５の臭気成分を低下すること（フィルター５の再生）が必要となる。本構成の携帯型空気清浄器によれば充電式電池７を採用することにより、一定時間送風機６を運転（携帯型空気清浄器の使用）すると電源低下により運転できなくなる。これによってフィルター５の臭気成分の溜まりすぎを防止すると共に、充電式電池７の充電時には同時に送風機６を運転し、臭気成分の無い空気をフィルター５に通風することで、フィルター５の臭気成分の放散を促し、フィルター５の再生することが可能である。充電と共にフィルター再生を行うことで、携帯型空気清浄器をさらに継続的に使い続けることが可能となるものである。
【００２０】
以上説明したように本発明の実施例１によれば、携帯型空気清浄器を快適な状態で繰り返し使用することが可能である。
【００２１】
（実施例２）
図４は本発明の実施例２の回路を表すブロック図である。本体の構成は前記実施例１と同じであるが、図４に示したとおり、抵抗器１２を送風機６と充電端子１０間に接続されている。
【００２２】
続いて動作を説明する。実施例１で説明したとおり、充電時には充電端子１０への充電器１１の端子１２接続により、充電式電池７への充電用の電力供給と送風機６への電源供給が同時に行われるものである。
【００２３】
しかし、ここで充電端子１０と送風機６の間には抵抗器１２が設置されており、送風機６の送風を制限し、使用時の風量よりも低い風量で運転されるものである。
【００２４】
本発明によれば、フィルター５に吸着された臭気成分は充電時の送風によって放散され、フィルター５は再生されるのであるが、このように使用時に比べて低い風量を流すことによって臭気成分の放散スピードを制限し、周辺空間の臭気成分の濃度を抑えることが可能で、その臭気成分の人間の感じる閾値以下の濃度に設定することにより、本実施例は送風機６の風量制限を抵抗器１２で行ったが、これはスイッチによる断続運転やまた、その他の素子による電流制限などを用いても、また、送風機６の前後で風の経路を狭めるような手段によっても送風機６の風量を制限することが可能である同様の効果が期待できるものであり、これらの風量制限制限手段の違いが、本発明の趣旨、並びに有効性を妨げるものではない。
【００２５】
図５は本発明の実施例２の充電端子１０部分及び充電器１１側の端子１２近傍の拡大図にして、充電端子１０はそれぞれ充電端子１０ａ、１０ｂ、１０ｃ、とそれぞれ着脱自在に接続する充電器１１側の端子１２ａ、１２ｂ、１２ｃ、よりなる。
【００２６】
図６は本実施例２の接続を表すブロック図である。前記充電端子１０ａは同時にスイッチを兼ねており、充電器１１側の端子１２ａの接続によって同時に充電スイッチ１３を開放する。充電スイッチ１３は一端を充電端子１０ａ及び充電式電池７の陽極７ａと接続し、多端は送風機６の正極側と接続されている。なお、充電端子１０ｂは同じく送風機６の正極側、充電端子１０ｃは充電式電池７の陰極７ｂおよびに送風機６の陰極側に接続されている。
【００２７】
ここでそれらの動作を説明すると充電時において、本体を充電器にセットすると充電器の端子１２ａ、１２ｂ、１２ｃ、と本体の充電端子１０ａ、１０ｂ、１０ｃがそれぞれ接続する。同時に端子１２ａは充電スイッチ１３を開き、充電式電池７の陽極７ａ、及び充電端子１０ａと送風機６の正極側との回路は切断される。そのため、充電式電池７の陽極７ａは充電端子１０ａと接続され、また、送風機６の正極側は充電端子１０ｂとのみ接続され、充電式電池７および送風機６はそれぞれ並列に充電端子１０ｃに接続される。充電器１２では電源１３よりそれぞれ別の電源として端子１２ａ、１２ｂに供給されるため、送風機６は充電式電池７と独立に電源供給される。
【００２８】
以上述べたように本発明によれば、充電時に送風機６は充電式電池７を切り離すことによって、充電を効率的に実施するとともに送風機６も十分に駆動することが可能となり、前記フィルター５の再生も充電状況に影響せずに実施でき、それぞれが良好な状態で、達成できるものである。
【００２９】
（実施例３）
本発明の実施例３について説明する。ここで、本体は前記実施例１及び実施例２と同じである。図７は本発明の実施例３による充電器１４の断面図にして１５は充電器送風機であり、前記本体の吸気口３と略対向している。
【００３０】
これらの構成にあって、動作を説明する。充電時にあっては、充電器送風機１５は前記充電式電池７の充電動作と共に同時に運転し、前記本体１の吸気口３に向けて送風を行う。送風された風は前記フィルター５を経由して、送風口４より本体外に排気される。
【００３１】
このように充電器送風機１５は本体の送風機６とは別に設けられているため、重量や大きさ等の制限が少ないため、十分な風量を得ることができ、フィルター５の再生に要する時間を短縮できると共に、充電式電池の充電にも影響を与えないため、より早くより安定したフィルターの再生と充電式電池の充電が同時に実現できるものである。
【００３２】
（実施例４）
本発明の実施例４について説明する。ここで、本体は前記実施例１及び実施例２と同じである。図８は本発明の実施例４による充電器１６の断面図にして、１７は充電器送風機、１８はヒーターである。ヒータ１８は前記充電器送風機１７の下流に位置しており、その下流側は前記本体の吸気口３と略対向している。ヒータ１８及び充電器送風機１７は共に充電動作時に動作するものである。
【００３３】
以上の構成において、動作を説明する。本発明における本体の充電時にあっては、充電器送風機１７及ヒータ１８は前記充電式電池７の充電動作と共に同時に運転する。充電器送風機１７による風は下流のヒータ１８で加熱され、温風となって前記本体１の吸気口３に向けて送風される。送風された温風は前記フィルター５を経由して、送風口４より本体外に排気される。
【００３４】
通常使用におけるフィルター５は臭気成分を吸着しているが、一般にこの種の吸着剤の吸着能力は温度とともに低下し、吸着できる量としては減少する。つまり、逆にいえば、臭気成分を吸着したフィルター５に温風を通すことで、常温と比べると臭気成分を放出しやすくなる。これによって単に送風するのと比較するとより多くの臭気成分を放出できるため、フィルターとしてはよりよく再生された状態が実現できるものである。
【００３５】
（実施例５）
次に本発明の実施例５について説明する。ここで、本体は前記実施例１及び実施例２と同じである。図９は本発明の実施例５による充電器１９の断面図にして、２０は充電器送風機、２１はヒータである。ヒータ２１は前記充電器送風機２０の下流に位置しており、その下流側は前記本体の吸気口３と略対向している。
ヒータ２１及び充電器送風機２０は共に充電動作時に動作するものである。２２は前記ヒータ２１の温度制御器にして、ヒータ２１の下流に設けた温度センサ２３と連動し、ヒータ２１を制御し、温風の温度を所定の温度に調整する。
【００３６】
以上の構成において、動作を説明する。本発明における本体の充電時にあっては、充電器送風機２０及ヒータ２１は前記充電式電池７の充電動作と共に同時に運転する。充電器送風機２０による風は下流のヒータ２１で加熱され、温風となって前記本体１の吸気口３に向けて送風される。送風された温風は前記フィルター５を経由して、送風口４より本体外に排気される。その際、温度制御器２２は温度センサ２３と連動し、ヒータ２１を制御し、あらかじめ設定された順に時間を追って段階的に温風の温度を調整する。
【００３７】
前記実施例４の説明の通り、本発明にあっては温風をフィルター５に通してフィルター５の臭気成分を放散することにより、前記フィルター５を再生するわけであるが、その際には周囲の空間には臭気成分が発散されることとなる。臭気成分には人間がその嗅覚によって知覚される限界の濃度（閾値）が存在する。たとえ、本充電器の充電再生中にその近傍いたとしても、その濃度以下であれば、臭気成分を感じることは無い。本発明においては温度制御器２２で温度センサ２３と連動して、ヒータ２１を制御し、あらかじめ設定された順に時間を追って段階的に温風の温度を高く調整することによって、それぞれの時間における臭気成分の放散量を制御し、周囲空間の臭気成分の濃度を常に閾値以下に抑えるもので、フィルターの再生中にあっても不快感等を起こさないものである。
【００３８】
なお、同構成にあって、温度制御器２２を用いて、充電器送風機２０を制御し、温度センサ２３の検知温度が所定の温度より高いときは風量を増し、低いときは風量を制限することによって温風温度を制御して所定の温度としてあらかじめ設定された順に時間を追って段階的に温風の温度を調整しても、同様の効果が得られるものである。
【００３９】
（実施例６）
次に本発明の実施例６について説明する。ここで、本体は前記実施例１及び実施例２と同じである。図１０は本発明の実施例６による充電器２４の断面図にして、２５は充電器送風機、２６は充電式電池７及び前記充電器送風機２５に電源を供給する電源回路である。電源回路２６は前記充電器送風機２５の下流に位置しており、その下流側は前記本体の吸気口３と略対向している。充電器送風機２５は共に充電動作時に動作するものである。
【００４０】
以上の構成において、動作を説明する。本発明における本体の充電時にあっては、電源回路２６は前記充電式電池７へと充電器送風機２５へ電源供給を行い、同時に少なからず発熱するものである。本発明の構成にあっては充電器送風機２５からの風をまず電源回路２６に向けて送風し、電源回路２６を冷却した後、前記本体１の吸気口３に向けて送風され、前記フィルター５を経由して、送風口４より本体外に排気される。電源回路２６の冷却にともなって、充電器送風機２５からの風は温風となり、前記フィルター５を通過するため、冷風と比較してもフィルター５はより良好な状態に再生される。また、充電器側にあっては余分なヒータなどを必要としないため、より小型軽量に構成できるものである。
【００４１】
（実施例７）
次に本発明の実施例７について説明する。ここで、本体は前記実施例１及び実施例２と同じである。図１１は本発明の実施例７による充電器２７の断面図にして、２８は充電器送風機、２９は充電式電池７及び前記充電器送風機２８に電源を供給する電源回路である。３０は前記充電器送風機２８の下流に位置するヒータにして、その下流側は前記本体の吸気口３と略対向している。本体１内では充電器送風機２８の送風は吸気口３を通じてフィルター５を通り、送風口４より本体外に排気される。３１は充電器吸気口にして本体１の前記送風口４を略覆う形にて設けられている。３２は脱臭触媒にして触媒作用によって臭気成分の分解を促進する。３３は前記脱臭触媒３２から前記充電器送風機２８の上流を結ぶ風路である。
【００４２】
以上の構成において、動作を説明する。本発明における本体の充電時にあっては、電源回路２９より充電式電池７への充電と同時に充電器送風機２８および必要に応じてヒータ３０を運転し、送風を開始する。この風は本体の吸気口３を経てフィルター５を通過し、送風口４より充電器２７の充電器吸気口３１へ流入し、脱臭触媒３２を通過して風路３３をとおり、充電器送風機２８にもどる。
【００４３】
フィルター５に吸着された臭気成分は送風によって放散するが、充電器２７の脱臭触媒３２を通過して分解される。そのため、臭気成分は分解され、充電中にフィルター５は再生されるものである。また、脱臭触媒３２を通過した風が風路３３を通り、充電器送風機２８へと循環することにより、臭気成分の分解はより確実なものとなると共に風が循環することによってより少ない電力でヒータ３０は温度を維持することができるし、また、より低い電力であっても循環で徐々に温度を上げていくことも可能となるため、より簡便な構成でフィルター５の再生が可能となるものである。なお、本実施例７では熱源としてヒータ３０をおく場合について説明したが、前記実施例６のごとくヒータ３０に代わって電源回路２９を風路中に置くことで、ヒータ３０と同様の効果を求めたとしても本発明の趣旨を逸脱するものでない。
【００４４】
【発明の効果】
以上のように、請求項１に記載の発明によれば、携帯型空気清浄器の本体内に充電式電池と同充電式電池を電源に駆動する送風機とその送風経路の一部に設けられたフィルターからなる充電式空気清浄器にあって、空気清浄に使用しない充電時に前記フィルターに送風し、前記フィルターを再生することによって、略継続的に使用可能となる。
【００４５】
請求項２に記載の発明によれば、空気清浄動作に使用する動作時に比べて、充電再生時には低風量に、もしくは断続的に送風機を動作することによって、使用時に比べて比較的長時間の運転時間をより静かに充電再生できる。
【００４６】
請求項３に記載の発明によれば、充電時には前記送風機を充電式電池と切り離し、送風機に直接給電し、送風することによって、充電を効率的に実施するとともにフィルターの再生も充電状況に影響せずに実施でき、それぞれが良好な状態で、達成できる。
【００４７】
請求項４に記載の発明によれば、携帯型空気清浄器本体、もしくはフィルタ−を含む一部を接続して、充電式電池を充電する充電器に送風機と別途送風機を設けることによって、充電式電池の充電中であっても充電状況によらず、安定した送風を達成できるため、より安定しフィルターの再生と充電式電池の充電が実現できる。
【００４８】
請求項５に記載の発明によれば、充電再生時にフィルタ−に送風する送風経路に加熱手段を設け、温風を送風することによって、フィルターの再生を温風で実現できるため、フィルターに吸着した臭気成分の放散を促進し、より良好に再生できる。
【００４９】
請求項６に記載の発明によれば、充電再生時に前記フィルタ−に送風する温風の温度を充電再生の進行に従って徐々に高くすることによって、フィルターに吸着した臭気成分の放散のスピードを所定量に制御することが可能となり、放散する臭気成分を常に一定以下できるために、良好な環境を維持しつつより良好な再生を実現する。
【００５０】
請求項７に記載の発明によれば、充電再生時に前記フィルタ−に送風する温風の風量を前記加熱手段の温度が高いときには風量を上げ、より低いときには風量を抑えることにより、風量のみの制御で一定の温度の温風を得ることが可能となる。
【００５１】
請求項８に記載の発明によれば、加熱手段を充電電源回路の熱を還流して実現することにより、ヒータなどの熱源を設けずに充電再生時にフィルタ−に送風する温風を売ることができ、よりコンパクトで、効率の良い充電再生器を有する携帯型空気清浄器が実現できる。
【００５２】
請求項９に記載の発明によれば、充電再生時に前記フィルタ−を通った風の下流に脱臭触媒を設けることにより、フィルターから再生によって脱着された臭気成分を脱臭触媒で分解排出することで、臭気成分の排出を低減すると共にフィルターの再生時間を短くする。
【００５３】
請求項１０に記載の発明によれば、充電再生時に前記脱臭触媒を通った風を前記送風手段へと導く風路を形成することで、フィルターから再生によって脱着された臭気成分を脱臭触媒で分解し、繰り返し内部で循環することにより、臭気成分の排出がなくフィルターの再生が可能となる。
【図面の簡単な説明】
【図１】  本発明の実施例１の空気清浄器の断面図
【図２】  同清浄器の使用例を示した図
【図３】  （ａ）同清浄器の使用時の回路接続を示した図
（ｂ）同清浄器の充電再生時の回路接続を示した図
【図４】  本発明の実施例２の空気清浄器の回路を表すブロック図
【図５】  同清浄器の充電端子近傍の斜視図
【図６】  同清浄器の接続を表すブロック図
【図７】  本発明の実施例３における空気清浄器の充電器の断面図
【図８】  本発明の実施例４における空気清浄器の充電器の断面図
【図９】  本発明の実施例５における空気清浄器の充電器の断面図
【図１０】  本発明の実施例６における空気清浄器の充電器の断面図
【図１１】  本発明の実施例７における空気清浄器の充電器の断面図
【符号の説明】
１  携帯型空気清浄器本体
３  吸気口
４  送風口
５  フィルター
６  送風機
７  充電式電池
１１、１４、１６、１９、２４、２７  充電器
２６、２９  電源回路
３２  脱臭触媒
３３  風路
【図１】
0004715015.tif 000002
【図２】
0004715015.tif 000003
【図３】
0004715015.tif 000004
【図４】
0004715015.tif 000005
【図５】
0004715015.tif 000006
【図６】
0004715015.tif 000007
【図７】
0004715015.tif 000008
【図８】
0004715015.tif 000009
【図９】
0004715015.tif 000010
【図１０】
0004715015.tif 000011
【図１１】
0004715015.tif 000012